(57)【特許請求の範囲】
【請求項１】
内容物の取出しによる内部負圧化に伴って収縮する内容物充填密閉袋を有する容器に取り付けて使用され、前記容器(1)の外部に露出する作動部(5)と、前記容器内に挿入されて吸引口(17)から内容物を吸引する吸引部とを備えた容器用ポンプ装置において、基端が前記吸引部の吸引口(17)に内嵌し先端が前記内容物充填密閉袋(2)の内底部に向かって延びる隙間保持杆(20)を備え、この隙間保持杆(20)の外周面には、隙間保持杆(20)の基端側から先端側に向かって延び、かつ、その周方向に交互に放射状に配列された凸部(21)と凹部(22)とを設け、前記吸引部(6)の外周面には、前記吸引口(17)に接近する方向に延びて当該吸引口(17)に繋がる溝(16a,16b,16c,16d)が形成されていることを特徴とする容器用ポンプ装置。
【発明の詳細な説明】
【０００１】
【発明の属する技術分野】
本発明は容器用ポンプ装置に関するものであり、特に、内容物の全量をほぼ最後まで注出可能な容器用ポンプ装置に係るものである。
【０００２】
【従来の技術】
一般に、高粘度であったり、或は、外気との接触により変質する内容物を一定量で吐出する容器としては、図１１に示すものが知られている。
【０００３】
この容器１は、その内部に可撓性の内容物充填密閉袋２が収容され、口筒部３にポンプ４を有している。このポンプ４は、容器１の外部に露出する作動部５と、前記密閉袋２に挿入された吸引部６とを備えている。吸引部６はパイプ状をなし、吸引部６の先端が吸引口６ａとして開口し、密閉袋２の底部近傍に延びている。
【０００４】
この容器１では、作動部５を下動した後、この作動部５がスプリングバックにより上昇させると、吸引部６内が負圧になり、密閉袋２内の内容物７が吸引口６ａからポンプ内に吸い上げられる。作動部５を再び下動すると、ポンプ内に吸い上げられた内容物が作動部５に設けた吐出口５ａから注出される。このように順次吸い上げていけば密閉袋２内の内容物７がなくなるまで注出することができる。
【０００５】
【発明が解決しようとする課題】
ところが、前記した従来のものにおいては、使い始めのときには問題ないが、内容物７が少なくなってくると密閉袋２が吸引部６に密着し、吸引部６の吸引口６ａが塞がれて、内容物７を吸引することができなくなる。このため、ポンプが完全復帰することができなくなり、内容物７が残留するという問題があった。
【０００６】
又、密閉袋２が吸引部６に密着することによって、密閉袋２上部にある内容物７が吸引部６の吸入口６ａまで流通することを阻止し、併せて密閉袋６の底部が極部的にしぼむことによって内容物７が上部に留まることとなる。このように内容物７が密閉袋２の上部に残留しては不経済である。
【０００７】
本発明はこのような従来の技術の問題点に鑑みてなされたものであり、密閉袋が吸引口を閉塞するのを防止して内容物を円滑に各確実に注出できるようにし、しかも、内容物の全量を注出することができるようにし、生産性にも優れた容器用ポンプ装置を提供することを目的とする。
【０００８】
【課題を解決するための手段】
本発明は前記課題を解決するために、以下の手段を採用した。
〈本発明の要旨〉すなわち、本発明の容器用ポンプ装置は、内容物の取出しによる内部負圧化に伴って収縮する内容物充填密閉袋を有する容器に取り付けて使用され、前記容器の外部に露出する作動部と、前記容器内に挿入されて吸引口から内容物を吸引する吸引部とを備えた容器用ポンプ装置において、基端が前記吸引部の吸引口(17)に内嵌し先端が前記内容物充填密閉袋(2)の内底部に向かって延びる隙間保持杆(20)を備え、この隙間保持杆(20)の外周面には、隙間保持杆(20)の基端側から先端側に向かって延び、かつ、その周方向に交互に放射状に配列された凸部(21)と凹部(22)とを設け、前記吸引部の外周面に、前記吸引口に接近する方向に延びて当該吸引口(17)に繋がる溝を形成することである。この溝の形状に特に限定はない。
【０００９】
〈本発明の作用〉
積層容器等では、内容物の注出に伴って容器内部が減圧されると、前記最内層が負圧により引っ張られてその外側の層から剥離し、内側層のみが袋となって収縮変形するが、内容物充填密閉袋が吸引部に密着して、その密着部よりも上方に内容物が留まったとしても、吸引部の外周面に設けた溝が内容物の通路として確保される。したがって、内容物充填密閉袋の上方に留まった内容物も吸引口に流れ込むようになる。これにより内容物のほぼ全量を最後まで注出することができる。
【００１０】
【発明の実施の形態】
本発明の実施例を図１から図７に基づいて説明する。
図２に示すように、このポンプ装置４は容器１の口筒部３に装着して使用される。容器１の内部には可撓性を有する内容物充填密閉袋（以下、密閉袋という）２が収容されており、この密閉袋２内に内容物７が充填されている。
【００１１】
このポンプ装置４は、上端部を容器１の外部に露出させた作動部５と、上端部を除いてその殆どを前記密閉袋２内に挿入した吸引部６とを備えている。
吸引部６は、容器１から露出する連結部８と、連結部８に固定された筒部９とから構成されている。
【００１２】
吸引部６は、そのフランジ部１０と容器１の口筒部３との間にパッキン３０を介装し、フランジ部１０の上からキャップ３１を口筒部３に螺合することによって、容器１に固定されている。
【００１３】
フランジ部１０の下側は図３に示したように、上から順次小径となる、第１筒部１３ａ、第２筒部１３ｂ、第３筒部１３ｃ、第４筒部１３ｄ、第５筒部１３ｅ、第６筒部１３ｆを有し、第２筒部１３ｂと第３筒部１３ｃの境、第４筒部１３ｄと第５筒部１３ｅの境、第５筒部１３ｅと第６筒部１３ｆの境には、それぞれ段部１４ａ，１４ｂ，１４ｃが形成されている。
【００１４】
図４、図５、図６、図７はそれぞれ、第２筒部１３ｂ、第４筒部１３ｄ、第５筒部１３ｅ、第６筒部１３ｆの拡大横断面図であり、第２筒部１３ｂと第４筒部１３ｄと第５筒部１３ｅと第６筒部１３ｆの各外周面には、下側筒部１２の軸線に沿って延びる凸部１５ａ，１５ｂ，１５ｃ，１５ｄと溝１６ａ，１６ｂ，１６ｃ，１６ｄが周方向に交互に形成されている。
【００１５】
これら、凸部１５ａ〜１５ｄと溝１６ａ〜１６ｄの個数及び寸法は、密閉袋２が筒部９に密接した場合にも、各溝１６ａ〜１６ｄと密閉袋２との間に形成される液通路を、内容物が所定流量で流れるように設定されている。
【００１６】
又、後述するように第１筒部１３ｂの内面はピストンパッキン３４の摺動面となるが、第１筒部１３ｂの外周面には多数の細かい凸部１５ａと溝１６ａを形成したことによって、この第１筒部１３ｂの内面に成形時の所謂「ヒケ」が生じることがなく、ピストンパッキン３４の液密状態の摺動が確保されることとなる。したがって、このポンプ装置４はポンプ効率がよい。
【００１７】
もし、第１筒部１３ｂの内面に「ヒケ」が生じていると、第１筒部１３ｂの内面とピストンパッキン３４との間に隙間が生じて、吸引に必要な十分な負圧の伝達が危うくなり、ポンプ効率の悪化が生じる。
【００１８】
第６筒部１３ｆの下端には吸引口１７が開口していて、この吸引口１７から密閉袋２内の内容物７がポンプ装置に吸い上げられるようになっている。
ポンプ装置４の作動部５は、吐出口３２ａを備えたヘッド部３２と、ヘッド部３２に連結され吸引部６内を昇降するピストン３３とから構成されている。ピストン３３は有底筒状をなし、内部が液通路になっていてヘッド部３２の吐出口３２ａに連なっている。
【００１９】
ピストン３３と第２筒部１３ｂの内面との間には、ピストンパッキン３４が摺動可能に設けられており、ヘッド部３２とピストン３３とピストンパッキン３４は、筒部９との間に設けられたスプリング３５によって上方に弾性付勢されている。
【００２０】
図１は、ヘッド部３２を連結部８に螺合してピストン３３を移動不能にした状態を示しているが、ヘッド部３２と連結部８との螺合を解除すると、ヘッド部３２とピストン３３とピストンパッキン３４はスプリング３５のバネ力によって上方に持ち上げられ、ヘッド部３２は図２において二点鎖線で示すようになる。
【００２１】
筒部９内の下方には弁座口１９を開閉するボール３６が収納されている。ピストン３３の底面外縁部には第２筒部１３ｂの内面との間に液通路３７が形成されており、ピストン３３において液通路３７よりも上位に位置する部分には液通路孔３８が設けられている。
【００２２】
このポンプ装置４では、ヘッド部３２とピストン３３とピストンパッキン３４がスプリング３５のバネ力によって上方に移動する時に、ピストンパッキン３４が液通路３７を塞ぎながら上昇する。その結果、ボール３６が負圧によって持ち上げられ、弁座口１９が開放されて、吸引口１７から内容物７がピストン３３の下側に位置する一次貯溜室３９に流入する。
【００２３】
この後、ヘッド部３２とピストン３３とピストンパッキン３４をスプリング３５のバネ力に抗して下方に押し下げると、ボール３６が弁座口１９を閉塞するとともに、ピストンパッキン３４がピストン３３の底面部から離間して液通路３７を開放する。その結果、内溶液が一次貯溜室３９から液通路３７を通り、液通路孔３８を通って、ピストン３３内に流入し、ヘッド部３２の吐出口３２ａから注出される。
【００２４】
又、第６筒部１３ｆ内には吸引口１７から隙間保持杆２０の基端が内嵌して固定されている。隙間保持杆２０は棒状をなし、その全長に亙って同一横断面形状に形成されている。
【００２５】
又、前記断面形状の前記外接円の外径は、吸引口１７の内径よりも若干小径で、且つ、第６筒部１３ｆの内周面に設けられた抜け止め突起１８の内径よりも若干大径に形成されていて、隙間保持杆２０の基端を吸引口１７に差し込んだ時に、抜け止め突起１８にきつく内嵌して固定されるようになっている。
【００２６】
この隙間保持杆２０の先端は、容器１の底部、即ち密閉袋２の底部に向かって延びている。
このポンプ装置４においては、内容物７が少なくなってきて密閉袋２が隙間保持杆２０に密閉袋２は隙間保持杆２０の各凸部２１には密着するが各凹部２２には密着できないので、この凹部２２が内容物７の通路として確保される。又、吸引口１７も隙間保持杆２０によって開放状態に保持される。
【００２７】
図８、図９、図１０は、隙間保持杆２０の拡大横断面図である。
本実施例の隙間保持杆２０は、その全長に亙って長手方向に延びる凸部と凹部が周方向に交互に設けられて構成されている。図８は凸部と凹部がそれぞれ３つずつの、図９は凸部と凹部がそれぞれ４つずつの、図１０は凸部と凹部がそれぞれ４つずつの隙間保持杆の例である。
【００２８】
このように、前記吸引口１７より下方に滞留した内容物は前記隙間保持杆２０による作用により通路が確保されるが、一方、密閉袋２が吸引部６に密着して、密着した部分よりも上方に内容物７が滞留する点に対処すべく本実施例においては、吸引部６の外周面には凸部１５ａ〜１５ｄと凹部１６ａ〜１６ｄが設けられているので、凹部１６ａ〜１６ｄが内容物７の通路として確保される。したがって、密閉袋２の上方に留まった内容物７も吸引口１７に流れ込むようになる。
【００２９】
したがって、内容物７が少なくなった時にも、内容物７の吸引を確実に行うことができるとともに、作動部５の上昇復帰動作を確実に行うことができる
又、このポンプ装置は積層容器に使用することも可能である。積層容器とは、最内層がその外側の層から剥離自在で、外観形状の変化を防止した、少なくとも二層構造の積層ブロープラスチック容器のことをいう。
【００３０】
積層容器では、内容物の注出に伴って容器内部が減圧されると、前記最内層が負圧により引っ張られてその外側の層から剥離し、最内層のみが袋となって収縮変形する。この積層容器では、最内層が上記実施例における密閉袋２に該当する。
【００３１】
【発明の効果】
以上説明したように、本発明によれば、内容物の取り出しによる内部負圧化に伴って収縮する内容物充填密閉袋が吸引部に密着しても内容物の通路を確保できるので、その密着部よりも上方に内容物が留まることを防ぎ、内容物を円滑に確実に注出できるようにして、内容物が残留し利用不能となることの少ないという優れた効果が奏される。
【図面の簡単な説明】
【図１】本発明の第１実施例におけるポンプ装置の吸引部の組立外観図である。
【図２】第１実施例のポンプ装置を容器に装着した状態を示す組立外観図である。
【図３】第１実施例におけるポンプ装置の吸引部の要部拡大縦断面図である。
【図４】図３のＡ−Ａ断面図である。
【図５】図３のＢ−Ｂ断面図である。
【図６】図３のＣ−Ｃ断面図である。
【図７】図３のＤ−Ｄ断面図である。
【図８】実施例１における隙間保持杆の横断面図である。図１のＥ−Ｅ拡大断面図である。
【図９】本発明の他の実施例における隙間保持杆の横断面図である。
【図１０】本発明の他の実施例における隙間保持杆の横断面図である。
【図１１】従来のポンプ装置と容器の組立外観図である。
【符号の説明】
１    容器
２    内容物充填密閉袋
４    ポンプ装置
５    作動部
６    吸引部
７    内容物
１６ａ，１６ｂ，１６ｃ，１６ｄ    溝
１７      吸引口
１９      弁座口
２０      隙間保持杆
【図１】
0003618831.tif 000002
【図２】
0003618831.tif 000003
【図３】
0003618831.tif 000004
【図４】
0003618831.tif 000005
【図５】
0003618831.tif 000006
【図６】
0003618831.tif 000007
【図７】
0003618831.tif 000008
【図８】
0003618831.tif 000009
【図９】
0003618831.tif 000010
【図１０】
0003618831.tif 000011
【図１１】
0003618831.tif 000012